(57)【要約】【課題】鍵ホルダの挿入作業中の転倒を抑制できると共に、非使用時における小型化を図ることができる鍵管理装置を提供する。【解決手段】装置本体１２と、鍵本体１０に連結された鍵ホルダ１１が抜き差しされる支持穴６５を有し支持穴６５に差し込まれた鍵ホルダ１１を支持する鍵支持部１３（Ａ）〜１３（Ｃ）と、鍵支持部１３（Ａ）〜１３（Ｃ）を、装置本体１２から突出して支持穴６５を斜め上方向に開口させる突出状態と、突出状態よりも装置本体１２側に位置する収納状態との間で回動させる回動機構１２１とを備える。【選択図】図７
2020153230.tif 000002
【特許請求の範囲】
【請求項１】
装置本体と、
鍵本体に連結された鍵ホルダが抜き差しされる支持穴を有し前記支持穴に差し込まれた前記鍵ホルダを支持する鍵支持部と、
前記鍵支持部を、前記装置本体から突出して前記支持穴を斜め上方向に開口させる突出状態と、前記突出状態よりも前記装置本体側に位置する収納状態との間で回動させる回動機構と、
主電源のオン・オフ操作を行う電源スイッチと、
を備え、
前記回動機構は、前記電源スイッチが操作されて主電源がオンになると、前記鍵支持部を前記収納状態から前記突出状態にする
ことを特徴とする鍵管理装置。
【請求項２】
装置本体と、
鍵本体に連結された鍵ホルダが抜き差しされる支持穴を有し前記支持穴に差し込まれた前記鍵ホルダを支持する複数の鍵支持部と、
前記鍵支持部を、前記装置本体から突出して前記支持穴を斜め上方向に開口させる突出状態と、前記突出状態よりも前記装置本体側に位置する収納状態との間で回動させる回動機構と、
前記回動機構を駆動させ、前記複数の鍵支持部の全てを前記収納状態から前記突出状態にする駆動ボタンと、
を備えることを特徴とする鍵管理装置。
【請求項３】
装置本体と、
鍵本体に連結された鍵ホルダが抜き差しされる支持穴を有し前記支持穴に差し込まれた前記鍵ホルダを支持する複数の鍵支持部と、
前記鍵支持部を、前記装置本体から突出して前記支持穴を斜め上方向に開口させる突出状態と、前記突出状態よりも前記装置本体側に位置する収納状態との間で回動させる回動機構と、
前記回動機構を駆動させ、前記複数の鍵支持部の全てを前記突出状態から前記収納状態にする駆動ボタンと、
を備えることを特徴とする鍵管理装置。
【請求項４】
装置本体と、
鍵本体に連結された鍵ホルダが抜き差しされる支持穴を有し前記支持穴に差し込まれた前記鍵ホルダを支持する複数の鍵支持部と、
前記鍵支持部を、前記装置本体から突出して前記支持穴を斜め上方向に開口させる突出状態と、前記突出状態よりも前記装置本体側に位置する収納状態との間で回動させる回動機構と、
ユーザ認証を行うユーザ認証部と、
を備え、
前記回動機構は、前記ユーザ認証部によってユーザ認証が行われると、前記複数の鍵支持部の全てを前記収納状態から前記突出状態にする
ことを特徴とする鍵管理装置。
【請求項５】
装置本体と、
前記装置本体に形成された本体開口部と、
前記本体開口部を開閉するシャッタと、
鍵本体に連結された鍵ホルダが抜き差しされる支持穴を有し前記支持穴に差し込まれた前記鍵ホルダを支持する鍵支持部と、
前記鍵支持部を、前記本体開口部を介して前記装置本体から突出して前記支持穴を斜め上方向に開口させる突出状態と、前記突出状態よりも前記装置本体側に位置する収納状態との間で回動させる回動機構と、
を備え、
前記回動機構は、前記シャッタが駆動して前記本体開口部を開放した後に、前記鍵支持部を前記収納状態から前記突出状態にする
ことを特徴とする鍵管理装置。
【発明の詳細な説明】
【技術分野】
【０００１】
本発明は、鍵管理装置に関する。
【背景技術】
【０００２】
金融機関に設置された金庫や現金処理機等を開閉するための鍵は、これを確実且つ安全に保管する必要があるため、通常は鍵管理装置に保管されている（例えば、特許文献１参照）。鍵管理装置では、例えば、認証カードの認証や暗証番号の入力等によって対応する鍵が持ち出せる構成となっている。
【０００３】
しかしながら、上記の鍵管理装置では、本体の鉛直に沿う前面に垂直に鍵保持部が設けられているので、水平面に直立させた状態では、鍵ホルダを本体の前面に対して水平方向に挿入することになる。このため、鍵ホルダを鍵保持部に差し込む力によって、鍵管理装置が後方向に転倒してしまうおそれがある。
【０００４】
また、本体の前面に、斜め上方向に向く傾斜面を有する、断面が略三角形の帯形状の突出部が高さ方向に３段並列に配置されており、この突出部の傾斜面に鍵保持部が設けられた鍵管理装置がある（例えば、特許文献２参照）。この鍵管理装置においては、鍵ホルダを鍵保持部に差し込む際に、鍵ホルダが鍵管理装置の本体の前面に対して斜め下方向に向かって挿入されるので、鍵ホルダを鍵保持部に差し込む力によって、鍵管理装置が後方向に転倒し難い。
【先行技術文献】
【特許文献】
【０００５】
【特許文献１】特開２００２−２１３７９号公報
【特許文献２】特開２０１４−２３１６９３号公報
【発明の概要】
【発明が解決しようとする課題】
【０００６】
しかしながら、特許文献２の鍵管理装置では、本体の前面に突出部を有するので、本体の奥行き方向が大型化してしまう。また、本体の前面を前カバーで覆う場合には、本体の前面に突出部を有する分、前カバーの厚さが必要となり、前カバーが大型化してしまう。したがって、鍵管理装置の構成部品が大型化するのに伴い、鍵管理装置全体が大型化してしまう。
【０００７】
したがって、本発明は、鍵ホルダの挿入作業中の転倒を抑制できると共に、非使用時における小型化を図ることができる鍵管理装置の提供を目的とする。
【課題を解決するための手段】
【０００８】
本発明に係る第１の態様は、装置本体と、鍵本体に連結された鍵ホルダが抜き差しされる支持穴を有し前記支持穴に差し込まれた前記鍵ホルダを支持する鍵支持部と、前記鍵支持部を、前記装置本体から突出して前記支持穴を斜め上方向に開口させる突出状態と、前記突出状態よりも前記装置本体側に位置する収納状態との間で回動させる回動機構と、主電源のオン・オフ操作を行う電源スイッチと、を備え、前記回動機構は、前記電源スイッチが操作されて主電源がオンになると、前記鍵支持部を前記収納状態から前記突出状態にすることを特徴とする。
【０００９】
本発明に係る第２の態様は、装置本体と、鍵本体に連結された鍵ホルダが抜き差しされる支持穴を有し前記支持穴に差し込まれた前記鍵ホルダを支持する複数の鍵支持部と、前記鍵支持部を、前記装置本体から突出して前記支持穴を斜め上方向に開口させる突出状態と、前記突出状態よりも前記装置本体側に位置する収納状態との間で回動させる回動機構と、前記回動機構を駆動させ、前記複数の鍵支持部の全てを前記収納状態から前記突出状態にする駆動ボタンと、を備えることを特徴とする。
【００１０】
本発明に係る第３の態様は、装置本体と、鍵本体に連結された鍵ホルダが抜き差しされる支持穴を有し前記支持穴に差し込まれた前記鍵ホルダを支持する複数の鍵支持部と、前記鍵支持部を、前記装置本体から突出して前記支持穴を斜め上方向に開口させる突出状態と、前記突出状態よりも前記装置本体側に位置する収納状態との間で回動させる回動機構と、前記回動機構を駆動させ、前記複数の鍵支持部の全てを前記突出状態から前記収納状態にする駆動ボタンと、を備えることを特徴とする。
【００１１】
本発明に係る第４の態様は、装置本体と、鍵本体に連結された鍵ホルダが抜き差しされる支持穴を有し前記支持穴に差し込まれた前記鍵ホルダを支持する複数の鍵支持部と、前記鍵支持部を、前記装置本体から突出して前記支持穴を斜め上方向に開口させる突出状態と、前記突出状態よりも前記装置本体側に位置する収納状態との間で回動させる回動機構と、ユーザ認証を行うユーザ認証部と、を備え、前記回動機構は、前記ユーザ認証部によってユーザ認証が行われると、前記複数の鍵支持部の全てを前記収納状態から前記突出状態にすることを特徴とする。
【００１２】
本発明に係る第５の態様は、装置本体と、前記装置本体に形成された本体開口部と、前記本体開口部を開閉するシャッタと、鍵本体に連結された鍵ホルダが抜き差しされる支持穴を有し前記支持穴に差し込まれた前記鍵ホルダを支持する鍵支持部と、前記鍵支持部を、前記本体開口部を介して前記装置本体から突出して前記支持穴を斜め上方向に開口させる突出状態と、前記突出状態よりも前記装置本体側に位置する収納状態との間で回動させる回動機構と、を備え、前記回動機構は、前記シャッタが駆動して前記本体開口部を開放した後に、前記鍵支持部を前記収納状態から前記突出状態にすることを特徴とする。
【発明の効果】
【００１３】
本発明によれば、鍵ホルダの挿入作業中の転倒を抑制できると共に、非使用時における小型化を図ることができる鍵管理装置を提供することができる。
【図面の簡単な説明】
【００１４】
【図１】本発明に係る一実施形態の鍵管理装置を示すカバーを開いた状態の斜視図である。
【図２】本発明に係る一実施形態の鍵管理装置を示すカバーを閉じた状態の斜視図である。
【図３】本発明に係る一実施形態の鍵管理装置を示す制御系のブロック図である。
【図４】本発明に係る一実施形態の鍵管理装置の保持部及び鍵を示す斜視図である。
【図５】本発明に係る一実施形態の鍵管理装置の鍵を示す斜視図である。
【図６】本発明に係る一実施形態の鍵管理装置の鍵及び連結解除部を示す斜視図である。
【図７】本発明に係る一実施形態の鍵管理装置の装置本体及び鍵支持部と鍵とを示す断面図である。
【図８】本発明に係る一実施形態の鍵管理装置の装置本体及び鍵支持部と鍵とを示す断面図である。
【図９】本発明に係る一実施形態の鍵管理装置の変形例１の装置本体及び鍵支持部と鍵とを示す断面図である。
【図１０】本発明に係る一実施形態の鍵管理装置の変形例２の装置本体及び鍵支持部と鍵とを示す断面図である。
【図１１】本発明に係る一実施形態の鍵管理装置の変形例３の装置本体及び鍵支持部と鍵とを示す断面図である。
【図１２】本発明に係る一実施形態の鍵管理装置の変形例１０の鍵ホルダを含む鍵を示す斜視図である。
【図１３】本発明に係る一実施形態の鍵管理装置の変形例１０の鍵ホルダを含む鍵を示す斜視図である。
【発明を実施するための形態】
【００１５】
本発明に係る鍵管理装置の一実施形態を図面を参照して以下に説明する。なお、以下の説明において、「前」は前後方向の前側つまり操作者から見て手前側であり、「後」は前後方向の後側つまり操作者から見て奥側であり、「左」は操作者から見て左側であり、「右」は操作者から見て右側である。
【００１６】
本実施形態の鍵管理装置１は、銀行等の金融機関の店舗で使用されるもので、図１に示すように、一対一で鍵本体１０を保持する鍵ホルダ１１と、装置本体１２と、装置本体１２の前面１２ａ側に回動可能に設けられて鍵ホルダ１１を整列状態で着脱可能に支持する上下つまり高さ方向に複数段、具体的には三段並べられた鍵支持部１３と、装置本体１２の上面１２ｂの左側に昇降可能に設けられた連結解除部１４と、装置本体１２の前面１２ａ側を図１及び図２に示すように開閉するカバー１５とを有するものである。なお、図１に示す鍵支持部１３は少なくとも１個設けられていれば良い。ここで、鍵本体１０は、その用途が、金融機関に設置された金庫の扉の開閉用、現金処理機の扉の開閉用、現金処理機の扉内の現金収納庫の扉の開閉用、現金処理機の扉内の回収庫の扉の開閉用、現金処理機の主電源のオン・オフ切り換え用等となっている。連結された鍵本体１０及び鍵ホルダ１１が、鍵２０を構成する。
【００１７】
装置本体１２は、前面１２ａ側が、その右側部分よりも左側部分の方が後側に位置するように段差状をなしている。装置本体１２は、左側部分が、カバー１５で開閉される開閉部２１となっており、開閉部２１よりも前側に突出する右側部分は、カバー１５で開閉されずに常時露出する外面構成部２２となっている。開閉部２１の前面２１ａと外面構成部２２の前面２２ａとが装置本体１２の前面１２ａを構成している。カバー１５は、装置本体１２の左端縁部に設けられたヒンジ２５を介して一端側が装置本体１２に回動可能に連結されており、開閉部２１の前面２１ａを開閉する。カバー１５には、ヒンジ２５とは反対側の内面に、係合突起部２８及び検出突起部２９が固定されている。
【００１８】
装置本体１２には、右側の外面構成部２２の前面２２ａの上部に、日時、操作状況、アラーム情報及びガイダンス等を表示する液晶ディスプレイからなる表示部３０が設けられており、その下側に、担当者による暗証番号等の入力操作や文字の入力操作がなされる複数の操作キー３１ａを有する操作部３１が設けられている。また、これらの右側に、ＩＤカードが走査されると、このＩＤカードからデータを読み取るカードリーダ３４が設けられている。外面構成部２２の前面２２ａの下部には、必要な情報を紙面に印字して排紙口３５ａから排紙するプリンタ部３５が設けられている。なお、ＩＤカードは、ＩＣチップを有する電子カードや磁気カード等からなるもので、鍵管理装置１の使用が許可された全ての担当者にそれぞれ個別に準備されて他との識別のための個別の担当者識別番号等が記憶されている。また、操作部３１は、数字のほかに、アルファベット、ひらがな及びカタカナのうちの少なくとも一種類の入力が可能となっている。必要により漢字変換を可能としても良い。
【００１９】
装置本体１２には、カバー１５で閉塞されない側部に、主電源のオン・オフ操作が入力される電源スイッチ３７が設けられている。この側部の電源スイッチ３７よりも下側には、外部電源供給用の電源ケーブル３８が着脱自在に接続されている。
【００２０】
装置本体１２の開閉部２１の前面２１ａには、カバー１５が所定の開状態にあるか否かを検出する開状態検出センサ４４が設けられている。開状態検出センサ４４は、その前方にカバー１５が存在するか否かを検出するものであり、その前方にカバー１５が存在する状態から存在しない状態になると、カバー１５が開動作して所定の開状態になったことを検出する。また、開状態検出センサ４４は、その前方にカバー１５が存在しない状態から存在する状態になると、カバー１５が閉作動して所定の開状態になくなったことを検出する。
【００２１】
装置本体１２は、係合突起部２８をロック及びロック解除する電磁駆動式の図３に示すカバーロック機構４６と、検出突起部２９を検出することでカバー１５が全閉状態にあるか否かを検出する全閉検出センサ４７とを有している。カバーロック機構４６は、カバー１５が閉じられたことを全閉検出センサ４７が検出したことを条件に、係合突起部２８をロックする。装置本体１２の上部には取っ手４８が設けられており、操作者は、この取っ手４８を掴んで鍵管理装置１を持ち運ぶ。
【００２２】
複数段の鍵支持部１３は、それぞれが、左右方向つまり装置本体１２の幅方向に長く、その操作面１３ａ（開口配置面）が略平面状となっている。複数段の鍵支持部１３は、それぞれの操作面１３ａ側に、長さ方向に並列する複数、具体的には１０カ所の保持部５１を有している。保持部５１は、それぞれが一対一で対応する鍵ホルダ１１を取り外し不可となるようにロック状態で保持する。複数段の鍵支持部１３のそれぞれにおいて、同じ段の鍵支持部１３に設けられた複数の保持部５１は、上下方向の位置を合わせて左右方向に等間隔で並べられた整列状態で設けられている。保持部５１は鍵支持部１３に少なくとも１カ所設けられていれば良い。
【００２３】
鍵ホルダ１１は、図４に示すように、着脱部材６０と、この着脱部材６０に鍵本体１０を連結する連結部材６１とからなっている。着脱部材６０は、一対一で保持する鍵本体１０を他の鍵本体１０と識別するための個別の識別番号が記憶されたＩＣタグを有している。
【００２４】
鍵支持部１３の複数の保持部５１は、それぞれ、鍵本体１０に連結された鍵ホルダ１１の着脱部材６０が抜き差しされる個別の支持穴６５を有している。着脱部材６０は、保持部５１に対し着脱可能であって装着状態でロックされる。複数の保持部５１は、それぞれ、その支持穴６５に着脱部材６０が差し込まれるとこれをロックして支持し、またロック解除可能な電磁駆動式の図３に示す鍵ロック機構６６を有している。図４に示す支持穴６５は、その開口６５ａが鍵支持部１３の操作面１３ａに開口しており、支持穴６５は操作面１３ａから操作面１３ａに垂直に凹んでいる。鍵支持部１３の操作面１３ａは、支持穴６５の開口６５ａが開口する開口配置面となっている。
【００２５】
また、鍵支持部１３は、保持部５１のそれぞれに一対一で対応して、表示ランプ７０が付設された操作ボタン７１を有している。操作ボタン７１は、それぞれ対応する保持部５１のロックを解除する際に押圧される操作ボタンであり、表示ランプ７０は、点灯及び点滅することで操作を案内可能となっている。操作ボタン７１が押されると、この操作ボタン７１が設けられた保持部５１の鍵ロック機構６６のロックが解除され、この保持部５１から鍵ホルダ１１が取り外される処理が行われる。なお、操作ボタン７１を、鍵支持部１３に設けずに、装置本体１２の図１に示す開閉部２１の前面２１ａに設けても良い。
【００２６】
また、保持部５１は、それぞれが、装着された図４に示す着脱部材６０のＩＣタグと通信可能であって通信状態から非通信状態への切り替えで鍵２０の持ち出しを検出し非通信状態から通信状態への切り替えで鍵２０の返却を検出する図３に示すＩＣタグリーダ５２を内部に有している。鍵管理装置１は、ＩＣタグリーダ５２の検出に基づいて鍵２０の持ち出し及び返却を管理する。
【００２７】
図５に示すように、着脱部材６０には、厚さ方向に貫通する貫通穴６２が長さ方向の一端部に形成されており、鍵本体１０には、厚さ方向に貫通する貫通穴８０が長さ方向の一端部に形成されている。着脱部材６０とで鍵ホルダ１１を構成する連結部材６１は、着脱部材６０の貫通穴６２と鍵本体１０の貫通穴８０とに挿入可能な線状部材８２と、線状部材８２をその両端部を同時に収容した状態でロックする連結部材本体８３とからなっている。
【００２８】
線状部材８２は、線状のバネ鋼材等を塑性変形させることにより形成された可撓性の部材である。線状部材８２は、図６に示すように、半円状の半円状部８５と、半円状部８５の一端から略接線方向に直線状に延出する延出部８６と、延出部８６の半円状部８５とは反対側の端部から延出部８６に略直交して半円状部８５の中心とは反対側に直線状に延出する中間部８７と、中間部８７の延出部８６とは反対側の端縁部から中間部８７に略直交して半円状部８５側に突出する係合部８８とを有している。
【００２９】
また、線状部材８２は、半円状部８５の他端から略接線方向に直線状に延出する延出部９１と、延出部９１の半円状部８５とは反対側の端部から延出部９１に略直交して半円状部８５の中心側に直線状に延出する規制部９２と、規制部９２の延出部９１とは反対側の端部から延出部９１及び規制部９２を含む平面に略垂直をなして直線状に延出する支持部９３と、支持部９３の規制部９２とは反対側の端縁部から支持部９３に略直交して延出部９１とは反対方向に直線状に延出する中間部９４と、中間部９４の支持部９３とは反対側の端縁部から中間部９４に略直交して係合部８８とは反対向きに突出する係合部９５とを有している。
【００３０】
ここで、中間部８７、係合部８８、中間部９４及び係合部９５は、略同一平面に配置されており、支持部９３は、この平面に対して略垂直となっている。係合部８８及び係合部９５は、略同一直線上で互いに反対向きに突出している。線状部材８２は、支持部９３が着脱部材６０の貫通穴６２に挿入されており、支持部９３に略直交する両側の規制部９２及び中間部９４が着脱部材６０を支持部９３の位置に保持する。また、線状部材８２は、延出部８６、半円状部８５及び延出部９１の範囲が鍵本体１０の貫通穴８０に挿入されており、鍵本体１０は、これら延出部８６、半円状部８５及び延出部９１の範囲を移動する。
【００３１】
線状部材８２は、その両端部の係合部８８，９５を近づける方向に弾性変形させられた状態で連結部材本体８３に挿入されることになり、この状態で弾性変形が解除されると係合部８８，９５が連結部材本体８３に係合する。連結部材本体８３は、このように係合した状態の線状部材８２の係合部８８，９５を近づける方向の弾性変形を規制する状態と許容する状態とに切り替えられるものであり、この弾性変形を規制することで、係合部８８，９５を連結部材本体８３から引き抜き不可にロックする。ロックされた状態で、線状部材８２は連結部材本体８３で閉じられた状態になり、鍵本体１０及び着脱部材６０の連結部材６１からの取り外しが不可となり、鍵本体１０、着脱部材６０及び連結部材６１が連結されて一纏まりの鍵２０となる。
【００３２】
他方、連結部材本体８３は、連結部材本体８３の線状部材８２とは反対側が連結解除部１４の前面１４ａに開口する解除穴１０１に挿入されると、線状部材８２の係合部８８，９５を近づける方向の弾性変形を許容する状態となる。この状態で、線状部材８２が係合部８８，９５を近づける方向に変形させられると、線状部材８２が連結部材本体８３から取り外し可能となり、鍵本体１０及び着脱部材６０の線状部材８２からの取り外しが可能となる（例えば特開２０１４−９１９９５号公報参照）。
【００３３】
連結部材本体８３は、一対一で保持する鍵本体１０を他の鍵本体１０と識別するための個別の識別番号が記憶された図示略のＩＣタグを有している。
【００３４】
連結解除部１４には、解除穴１０１に挿入された連結部材本体８３のＩＣタグと通信してＩＣタグに記憶された識別番号を読み取る図３に示すＩＣタグリーダ９９が設けられている。鍵管理装置１は、ＩＣタグリーダ９９の検出に基づいて連結部材６１からの鍵本体１０の連結解除を管理する。
【００３５】
図１に示すように、装置本体１２の開閉部２１には、左右方向に長い複数、具体的には３カ所の本体開口部１０５が、左右方向の位置を揃えて上下方向に等間隔で形成されている。複数段の鍵支持部１３は、これら本体開口部１０５の対応するものを通って、図７に示すように開閉部２１の前面２１ａから前方に突出する。よって、開閉部２１の前面２１ａは、装置本体１２において複数段の鍵支持部１３が突出する側の面となっている。
【００３６】
鍵支持部１３は、長尺部材となっており、長さ方向に沿って見た側面視が扇形となっている。鍵支持部１３は、上記した略平面状の操作面１３ａと、この操作面１３ａの長さ方向に延びる一端縁部に長さ方向に延びる一端縁部で繋がる略平面状の面１３ｂと、操作面１３ａ及び面１３ｂの他端縁部同士を連結する略円筒面の一部形状の弧状面１３ｃとを有している。操作面１３ａ及び面１３ｂのなす角は、１８０°より小さく９０°よりも大きい角度となっている。なお、１８０°より小さく９０°よりも大きい角度となっていることが好ましいが、９０°よりも小さい角度になるようにしても良い。
【００３７】
上段の鍵支持部１３（Ａ）は、操作面１３ａと面１３ｂとの境界線の近傍位置が、上段の本体開口部１０５（Ａ）の上縁部の装置本体１２内側に配置された左右方向に延びる支持軸１１１（Ａ）に支持されている。鍵支持部１３（Ａ）は、この支持軸１１１（Ａ）を中心に回動することで、図７に示すように本体開口部１０５（Ａ）を介して前面２１ａよりも前方に突出したり、図８に示すように前面２１ａよりも後方に引っ込んだりする。鍵支持部１３（Ａ）の弧状面１３ｃには、複数の歯（不図示）で構成された円弧状のギア部１１２（Ａ）が設けられている。
【００３８】
中段の鍵支持部１３（Ｂ）は、操作面１３ａと面１３ｂとの境界線の近傍位置が、中段の本体開口部１０５（Ｂ）の上縁部の装置本体１２内側に配置された左右方向に延びる支持軸１１１（Ｂ）に支持されている。鍵支持部１３（Ｂ）は、この支持軸１１１（Ｂ）を中心に回動することで、図７に示すように本体開口部１０５（Ｂ）を介して前面２１ａよりも前方に突出したり、図８に示すように前面２１ａよりも後方に引っ込んだりする。鍵支持部１３（Ｂ）の弧状面１３ｃには、複数の歯（不図示）で構成された円弧状のギア部１１２（Ｂ）が設けられている。
【００３９】
下段の鍵支持部１３（Ｃ）は、操作面１３ａと面１３ｂとの境界線の近傍位置が、下段の本体開口部１０５（Ｃ）の上縁部の装置本体１２内側に配置された左右方向に延びる支持軸１１１（Ｃ）に支持されている。鍵支持部１３（Ｃ）は、この支持軸１１１（Ｃ）を中心に回動することで、図７に示すように本体開口部１０５（Ｃ）を介して前面２１ａよりも前方に突出したり、図８に示すように前面２１ａよりも後方に引っ込んだりする。鍵支持部１３（Ｃ）の弧状面１３ｃには、複数の歯（不図示）で構成された円弧状のギア部１１２（Ｃ）が設けられている。
【００４０】
装置本体１２内の鍵支持部１３（Ａ）〜１３（Ｃ）の後方には、鍵支持部１３（Ａ）〜１３（Ｃ）を、装置本体１２から突出する図７に示す突出状態と、突出状態よりも装置本体１２側に位置する図８に示す収納状態との間で回動させる回動機構１２１が設けられている。回動機構１２１は、ギア部１１２（Ａ）〜１１２（Ｃ）を含んでいる。
【００４１】
回動機構１２１は、鍵支持部１３（Ａ）の後方で左右方向に沿う支持軸１２２（Ａ）に支持されて、この支持軸１２２（Ａ）を中心に回転する歯車１２３（Ａ）と、支持軸１２２（Ａ）に支持されて、この支持軸１２２（Ａ）を中心に回転する歯付きのプーリ１２４（Ａ）とを有している。歯車１２３（Ａ）は、鍵支持部１３（Ａ）の円弧状のギア部１１２（Ａ）に噛み合っており、プーリ１２４（Ａ）と一体回転する。
【００４２】
回動機構１２１は、鍵支持部１３（Ｂ）の後方で左右方向に沿う支持軸１２２（Ｂ）に支持されて、この支持軸１２２（Ｂ）を中心に回転する歯車１２３（Ｂ）と、支持軸１２２（Ｂ）に支持されて、この支持軸１２２（Ｂ）を中心に回転する歯付きのプーリ１２４（Ｂ）とを有している。歯車１２３（Ｂ）は、鍵支持部１３（Ｂ）の円弧状のギア部１１２（Ｂ）に噛み合っており、プーリ１２４（Ｂ）と一体回転する。
【００４３】
回動機構１２１は、鍵支持部１３（Ｃ）の後方で左右方向に沿う支持軸１２２（Ｃ）に支持されて、この支持軸１２２（Ｃ）を中心に回転する歯車１２３（Ｃ）と、支持軸１２２（Ｃ）に支持されて、この支持軸１２２（Ｃ）を中心に回転する歯付きのプーリ１２４（Ｃ）とを有している。歯車１２３（Ｃ）は、鍵支持部１３（Ｃ）の円弧状のギア部１１２（Ｃ）に噛み合っており、プーリ１２４（Ｃ）と一体回転する。
【００４４】
なお、ギア部１１２と歯車１２３とは、上記のように直接的に噛み合わせるようにしても良く、少なくとも１個の他の歯車からなる歯車群を介して間接的に噛み合わせるようにしても良い。
【００４５】
回動機構１２１は、支持軸１２２（Ｃ）の下方に設けられた駆動モータ１３１を有している。駆動モータ１３１はその駆動軸１３２に歯付きの駆動プーリ１３３が固定されている。回動機構１２１は、プーリ１２４（Ａ）〜１２４（Ｃ）及び駆動プーリ１３３に掛けられる無端の歯付きの無端状の駆動ベルト１３５を有している。駆動ベルト１３５は歯をプーリ１２４（Ａ）〜１２４（Ｃ）及び駆動プーリ１３３のそれぞれの歯に噛み合わせている。これにより、駆動モータ１３１が駆動プーリ１３３を回転させると、駆動ベルト１３５がプーリ１２４（Ａ）〜１２４（Ｃ）を同期回転させることになり、歯車１２３（Ａ）〜１２３（Ｃ）を同期回転させて、これらにギア部１１２（Ａ）〜１１２（Ｃ）の対応するもので噛み合う鍵支持部１３（Ａ）〜１３（Ｃ）を同期回転させる。
【００４６】
回動機構１２１は、駆動モータ１３１の一方向回転で鍵支持部１３（Ａ）〜１３（Ｃ）を同等に前面２１ａから突出させることになり、駆動モータ１３１の逆方向回転で鍵支持部１３（Ａ）〜１３（Ｃ）を同等に前面２１ａよりも奥側に位置させる。駆動モータ１３１が鍵支持部１３（Ａ）〜１３（Ｃ）を前面２１ａから最も突出する図７に示す突出状態にすると、鍵支持部１３（Ａ）〜１３（Ｃ）は、それぞれの操作面１３ａを、前面２１ａに対し外側に傾けることになり、前下がりに傾斜させて斜め上方向に向く状態とする。具体的には、操作面１３ａを前面２１ａに平行な状態から外側に４５°傾ける。この突出状態では、鍵支持部１３（Ａ）〜１３（Ｃ）は、それぞれの支持穴６５を前向きの斜め上方向に開口させる。
【００４７】
また、駆動モータ１３１が鍵支持部１３（Ａ）〜１３（Ｃ）を最も装置本体１２側である後側に位置する図８に示す収納状態とすると、鍵支持部１３（Ａ）〜１３（Ｃ）は、それぞれの操作面１３ａを、前面２１ａに対し内側に傾けることになり、後ろ下がりに傾斜させて斜め下方向に向く状態とする。具体的には、操作面１３ａを前面２１ａに平行な状態から内側に４５°傾ける。この収納状態では、鍵支持部１３（Ａ）〜１３（Ｃ）は、それぞれの支持穴６５を前向きの斜め下方向に開口させる。収納状態にある鍵支持部１３（Ａ）〜１３（Ｃ）は、それぞれ前面２１ａよりも装置本体１２内側に位置する。しかも、収納状態にある鍵支持部１３（Ａ）〜１３（Ｃ）は、全ての支持穴６５に差し込まれてロックされた鍵ホルダ１１と鍵本体１０とからなる鍵２０を前面２１ａよりも装置本体１２内側に配置する。
【００４８】
つまり、回動機構１２１は、鍵支持部１３（Ａ）〜１３（Ｃ）を、装置本体１２から突出してそれぞれの支持穴６５を斜め上方向に開口させる図７に示す突出状態と、この突出状態よりも装置本体１２側に位置する図８に示す収納状態との間で回動させる。その際に、回動機構１２１は、収納状態にある鍵支持部１３（Ａ）〜１３（Ｃ）を、装置本体１２の鍵支持部１３（Ａ）〜１３（Ｃ）が突出する側の前面２１ａよりも内側に位置させる。しかも、回動機構１２１は、収納状態にある鍵支持部１３（Ａ）〜１３（Ｃ）を、鍵２０と共に装置本体１２の鍵支持部１３（Ａ）〜１３（Ｃ）が突出する側の前面２１ａよりも内側に位置させる。
【００４９】
装置本体１２の上面１２ｂには、図７に示すように、開口穴１３８が形成されており、装置本体１２に昇降可能に支持された連結解除部１４は、開口穴１３８を通って、上面１２ｂから上方に突出する。
【００５０】
回動機構１２１の駆動モータ１３１、駆動プーリ１３３、駆動ベルト１３５及び歯車１２３（Ａ）は、連結解除部１４を昇降させる昇降機構１４１も構成している。昇降機構１４１は、連結解除部１４の昇降部１４３の前面１４ａ側に設けられた、複数の歯（不図示）で構成された直線状のラックギア部１４２を有しており、このラックギア部１４２が歯車１２３（Ａ）に噛み合っている。これにより、駆動モータ１３１が駆動プーリ１３３を回転させると、駆動ベルト１３５がプーリ１２４（Ａ）を回転させることになり、歯車１２３（Ａ）にラックギア部１４２で噛み合う連結解除部１４を昇降させる。
【００５１】
昇降機構１４１は、駆動モータ１３１の一方向回転で連結解除部１４を上面１２ｂから上方に突出させることになり、駆動モータ１３１の逆方向回転で連結解除部１４を上面１２ｂの位置まで下げる。駆動モータ１３１が鍵支持部１３（Ａ）〜１３（Ｃ）を前面２１ａから最も突出する図７に示す突出状態にすると、連結解除部１４が上面１２ｂから上方に最も突出する上昇状態となる。この上昇状態では、解除穴１０１が外部に露出する。この上昇状態は、解除穴１０１に鍵ホルダ１１の連結部材６１を差し込み可能な状態であり、鍵ホルダ１１の鍵本体１０との連結を解除可能な連結解除可能状態である。駆動モータ１３１が鍵支持部１３（Ａ）〜１３（Ｃ）を最も装置本体１２内側に位置する図８に示す収納状態とすると、連結解除部１４が最も下降して上面１４ｂが装置本体１２の上面１２ｂと略面一となる下降状態となる。この下降状態では、解除穴１０１が装置本体１２内に収納され、アクセス不可となる。つまり、この下降状態は、解除穴１０１に鍵ホルダ１１の連結部材６１を差し込み不可な状態であり、鍵ホルダ１１の鍵本体１０との連結を解除不可な連結解除不可状態である。
【００５２】
昇降機構１４１は、連結解除部１４を図７に示す上昇状態と図８に示す下降状態とに切り替える。また、昇降機構１４１は、回動機構１２１による鍵支持部１３（Ａ）〜１３（Ｃ）を突出状態とする突出作動に連動して連結解除部１４を上昇状態とし、回動機構１２１による鍵支持部１３（Ａ）〜１３（Ｃ）を収納状態とする収納作動に連動して連結解除部１４を下降状態とする。
【００５３】
回動機構１２１は、鍵支持部１３（Ａ）〜１３（Ｃ）が突出状態にあることを検出する図３に示す突出状態検出センサ１４５と、鍵支持部１３（Ａ）〜１３（Ｃ）が収納状態にあることを検出する収納状態検出センサ１４６とを有している。突出状態検出センサ１４５は、連結解除部１４が上昇状態にあることをも検出し、収納状態検出センサ１４６は、連結解除部１４が下降状態にあることをも検出する。
【００５４】
装置本体１２は、上記各部を制御する制御部１５１と、制御部１５１とデータのやり取りが可能なＲＡＭやＨＤＤ等からなる記憶部１５２とを有している。
【００５５】
制御部１５１は、開状態検出センサ４４が、その前方にカバー１５が存在する状態から存在しない状態になって、カバー１５が開動作して所定の開状態になったことを検出すると、駆動モータ１３１を一方向に回転駆動して、駆動モータ１３１を含む回動機構１２１によって、それまで収納状態にあった鍵支持部１３（Ａ）〜１３（Ｃ）を、前面２１ａから最も突出する突出状態にすると共に、それまで下降状態にあった連結解除部１４を上面１２ｂから上方に最も突出する上昇状態とする。その際に、制御部１５１は、突出状態検出センサ１４５の検出に基づいて駆動モータ１３１を停止させて、鍵支持部１３（Ａ）〜１３（Ｃ）を突出状態に、連結解除部１４を上昇状態にする。このように、カバー１５の開動作に連動して、回動機構１２１が鍵支持部１３（Ａ）〜１３（Ｃ）を突出状態とすると共に昇降機構１４１が連結解除部１４を上昇状態とする。
【００５６】
このように、カバー１５が開かれることで装置本体１２の開閉部２１から突出する突出状態になった鍵支持部１３（Ａ）〜１３（Ｃ）は、装置本体１２から装置本体１２の外側に突出し操作面１３ａが装置本体１２の外側で前下がりに傾いて、支持穴６５を前向きの斜め上方向に開口させる。これにより、保持部５１に装着される鍵ホルダ１１の着脱部材６０は、支持穴６５に後向きの斜め下方向に向かって差し込まれることになり、挿入作業がし易い。また、保持部５１に装着される鍵ホルダ１１の着脱部材６０は、支持穴６５に後向きの斜め下方向に向かって差し込まれることになり、差し込む力が後向きの斜め下方向となって、後向きの分力と下向きの分力とに分けられる。これにより、鍵ホルダ１１の着脱部材６０を支持穴６５に差し込む力によっても鍵管理装置１が後方向に転倒し難くなる。
【００５７】
また、カバー１５が開かれることで、装置本体１２から突出する突出状態になった連結解除部１４は、解除穴１０１が露出する状態となり、解除穴１０１に鍵ホルダ１１の連結部材６１を挿入することで、連結部材６１の鍵本体１０との連結を解除可能となる。
【００５８】
制御部１５１は、開状態検出センサ４４が、その前方にカバー１５が存在しない状態から存在する状態になって、カバー１５が閉作動して所定の開状態になくなったことを検出すると、駆動モータ１３１を逆方向に回転駆動して、駆動モータ１３１を含む回動機構１２１によって、それまで突出状態にあった鍵支持部１３（Ａ）〜１３（Ｃ）を、前面２１ａよりも後方に位置する収納状態にすると共に、それまで上昇状態にあった連結解除部１４を上面１２ｂと略面一にする下降状態とする。その際に、制御部１５１は、収納状態検出センサ１４６の検出に基づいて駆動モータ１３１を停止させて、鍵支持部１３（Ａ）〜１３（Ｃ）を収納状態に、連結解除部１４を下降状態にする。このように、カバー１５の閉作動に連動して、回動機構１２１が鍵支持部１３（Ａ）〜１３（Ｃ）を収納状態とすると共に昇降機構１４１が連結解除部１４を下降状態とする。
【００５９】
このようにカバー１５が閉じられることで、収納状態になった鍵支持部１３（Ａ）〜１３（Ｃ）は、支持する鍵２０を含んで、開閉部２１の前面２１ａよりも後側に位置することになり、装置本体１２内に全体が収納される。これにより、開閉部２１の前面２１ａを覆う閉状態のカバー１５を前面２１ａに近づけて配置することができ、鍵管理装置１は前後方向に小型になる。
【００６０】
以上に述べた本実施形態の鍵管理装置１によれば、回動機構１２１が鍵支持部１３（Ａ）〜１３（Ｃ）を、装置本体１２から突出して支持穴６５を斜め上方向に開口させる突出状態とすると、鍵ホルダ１１の着脱部材６０を支持穴６５に差し込む際に、着脱部材６０が斜め下方向に向かって挿入されるので、挿入作業がし易い。しかも、着脱部材６０を支持穴６５に差し込む力によっても後方向に転倒し難くなる。また、回動機構１２１が鍵支持部１３（Ａ）〜１３（Ｃ）を、突出状態よりも装置本体側に位置する収納状態とすると、全体的に小型になる。つまり、従来の装置本体の前面を予め斜めに設けて鍵ホルダを装置本体の前面に対して斜めに固定するものよりも、非使用時の装置本体１２の奥行き方向を小型化でき、更に、カバー１５の厚さも薄くできる。したがって、鍵ホルダ１１の挿入作業中の転倒を抑制できると共に、非使用時における小型化を図ることができる。
【００６１】
また、回動機構１２１が鍵支持部１３（Ａ）〜１３（Ｃ）を収納状態にすると、鍵支持部１３（Ａ）〜１３（Ｃ）が鍵２０と共に、装置本体１２の鍵支持部１３（Ａ）〜１３（Ｃ）が突出する側の前面２１ａよりも内側に位置することになる。よって、鍵本体１０及び鍵ホルダ１１からなる鍵２０を含めた鍵管理装置１全体の非使用時の状態を、小型化できる。ここで、収納状態において、鍵支持部１３（Ａ）〜１３（Ｃ）が装置本体１２の前面２１ａよりも内側に位置するようにすれば、支持する鍵２０の一部が、カバー１５の全閉を阻害しない範囲で装置本体１２より外側に存在していても良い。
【００６２】
また、カバー１５が開動作すると、これに連動して回動機構１２１が鍵支持部１３（Ａ）〜１３（Ｃ）を突出状態とし、カバー１５が閉作動されると、これに連動して回動機構１２１が鍵支持部１３（Ａ）〜１３（Ｃ）を収納状態とするため、操作者はカバー１５の開閉操作を行えば、回動機構１２１の回動操作を行う必要がなくなる。よって、操作が容易となる。
【００６３】
また、回動機構１２１による鍵支持部１３（Ａ）〜１３（Ｃ）を突出状態とする突出作動に連動して、連結解除部１４が、鍵ホルダ１１の鍵本体１０との連結を解除可能な上昇状態となり、回動機構１２１による鍵支持部１３（Ａ）〜１３（Ｃ）を収納状態とする収納作動に連動して、連結解除部１４が、鍵ホルダ１１の鍵本体１０との連結を解除不可な下降状態となるため、操作者は回動機構１２１の操作であるカバー１５の開閉操作を行えば、連結解除部１４の状態変更操作を行う必要がなくなる。よって、操作が容易となる。
【００６４】
以上の実施形態を以下の変形例のように変更することができる。
【００６５】
＜変形例１＞
１つの駆動モータ１３１によって複数の鍵支持部１３（Ａ）〜１３（Ｃ）及び連結解除部１４の全部を駆動することに限定されるものではなく、鍵支持部１３（Ａ）〜１３（Ｃ）の全部と、連結解除部１４とを別の駆動モータで駆動して良い。即ち、図９に示すように、装置本体１２内に鍵支持部１３（Ａ）〜１３（Ｃ）用の駆動モータ１３１とは別に、連結解除部１４用の駆動モータ１７１を設ける。そして、ラックギア部１４２を、この駆動モータ１７１の駆動軸１７２に固定された歯車１７３と直接的又は間接的に噛み合わせる。これにより、連結解除部１４用の駆動モータ１７１を一方向に回転させると、連結解除部１４が、装置本体１２の外側に向けて移動して、解除穴１０１を装置本体１２から装置本体１２の外側に露出させる上昇状態になる。また、連結解除部１４用の駆動モータ１７１を逆方向に回転させると、連結解除部１４が、装置本体１２の内側に向けて移動して、解除穴１０１を含んで装置本体１２内に収納される下降状態になる。この場合、駆動モータ１７１、歯車１７３及びラックギア部１４２が、連結解除部１４を昇降させる昇降機構１４１を構成することになる。
【００６６】
この変形例１の構成とすることにより、鍵支持部１３（Ａ）〜１３（Ｃ）と、連結解除部１４とがそれぞれ突出するタイミングを個別に自由に設定変更することができる。更に、鍵支持部１３（Ａ）〜１３（Ｃ）のみ又は連結解除部１４のみを突出させるようにすることもできる。鍵支持部１３（Ａ）〜１３（Ｃ）及び連結解除部１４のうち、必要ないものを装置本体１２に収納しておくことができるため、作業の邪魔になりにくい。
【００６７】
＜変形例２＞
複数の鍵支持部１３（Ａ）〜１３（Ｃ）を１つの駆動モータ１３１によって駆動することに限定されるものではなく、鍵支持部１３（Ａ）〜１３（Ｃ）のそれぞれを個別の駆動モータで駆動しても良い。即ち、図１０に示すように、鍵支持部１３（Ａ）用の駆動モータ１３１（Ａ）を設け、鍵支持部１３（Ｂ）用の駆動モータ１３１（Ｂ）を設け、鍵支持部１３（Ｃ）用の駆動モータ１３１（Ｃ）を設ける。そして、鍵支持部１３（Ａ）のギア部１１２（Ａ）と駆動モータ１３１（Ａ）の駆動軸１３２（Ａ）に設けられた歯車１２３（Ａ）とを直接的又は間接的に噛み合わせるようにして、鍵支持部１３（Ａ）を駆動モータ１３１（Ａ）で駆動する。同様に、鍵支持部１３（Ｂ）のギア部１１２（Ｂ）と駆動モータ１３１（Ｂ）の駆動軸１３２（Ｂ）に設けられた歯車１２３（Ｂ）とを直接的又は間接的に噛み合わせるようにして、鍵支持部１３（Ｂ）を駆動モータ１３１（Ｂ）で駆動する。同様に、鍵支持部１３（Ｃ）のギア部１１２（Ｃ）と駆動モータ１３１（Ｃ）の駆動軸１３２（Ｃ）に設けられた歯車１２３（Ｃ）とを直接的又は間接的に噛み合わせるようにして、鍵支持部１３（Ｃ）を駆動モータ１３１（Ｃ）で駆動する。この際、連結解除部１４は、上記変形例１のように、専用の駆動モータ１７１で駆動するようにしても良く、歯車１２３（Ａ）とラックギア部１４２とを噛み合わせて鍵支持部１３（Ａ）用の駆動モータ１３１（Ａ）で駆動するようにしても良い。
【００６８】
この変形例２では、駆動モータ１３１（Ａ）、歯車１２３（Ａ）及び鍵支持部１３（Ａ）のギア部１１２（Ａ）が、鍵支持部１３（Ａ）を突出状態と収納状態との間で回動させる回動機構１２１（Ａ）を構成し、駆動モータ１３１（Ｂ）、歯車１２３（Ｂ）及び鍵支持部１３（Ｂ）のギア部１１２（Ｂ）が、鍵支持部１３（Ｂ）を突出状態と収納状態との間で回動させる回動機構１２１（Ｂ）を構成し、駆動モータ１３１（Ｃ）、歯車１２３（Ｃ）及び鍵支持部１３（Ｃ）のギア部１１２（Ｃ）が、鍵支持部１３（Ｃ）を突出状態と収納状態との間で回動させる回動機構１２１（Ｃ）を構成する。
【００６９】
この変形例２の構成とすることにより、鍵支持部１３（Ａ）〜１３（Ｃ）のうちの一部の鍵支持部のみを突出させることもできる。例えば、３個の鍵支持部１３（Ａ）〜１３（Ｃ）を備えているが、これらのうち鍵支持部１３（Ａ），１３（Ｂ）のみを使用する場合、使用する鍵支持部１３（Ａ），１３（Ｂ）のみを突出させて、使用しない鍵支持部１３（Ｃ）は突出させないようにすることもできる。鍵支持部１３（Ａ）〜１３（Ｃ）のうち、必要ないものを装置本体１２に収納しておくことができるため、作業の邪魔になりにくい。
【００７０】
＜変形例３＞
収納状態において、鍵支持部１３（Ａ）〜１３（Ｃ）を、支持する鍵２０と共に装置本体１２内に収納することに限定されるものではなく、図１１に示すように、収納状態において、操作面１３ａが装置本体１２の開閉部２１の前面２１ａと略面一となるようにしても良い。即ち、カバー１５を開ける開動作に連動して、回動機構１２１が、鍵支持部１３（Ａ）〜１３（Ｃ）を、図１１に示すように操作面１３ａが装置本体１２の開閉部２１の前面２１ａと平行で略面一の収納状態から、図７に示すように装置本体１２の開閉部２１の前面２１ａから装置本体１２の外側に突出する突出状態にする。また、カバー１５を閉める閉動作に連動して、回動機構１２１が、鍵支持部１３（Ａ）〜１３（Ｃ）を、図７に示すように装置本体１２の開閉部２１の前面２１ａから装置本体１２の外側に突出する突出状態から、図１１に示すように操作面１３ａが装置本体１２の開閉部２１の前面２１ａと略面一の収納状態にする。言い換えれば、回動機構１２１が、収納状態にある鍵支持部１３（Ａ）〜１３（Ｃ）を、支持穴６５が開口する開口配置面である操作面１３ａが装置本体１２の開閉部２１の鍵支持部１３（Ａ）〜１３（Ｃ）が突出する側の前面２１ａに略面一となる状態とする。また、当然、この変形例３を、上記変形例１，２と併せて適用するようにしても良い。
【００７１】
この変形例３の構成とすることにより、回動機構１２１が鍵支持部１３（Ａ）〜１３（Ｃ）を収納状態にすると、鍵支持部１３（Ａ）〜１３（Ｃ）が、支持穴６５が開口する操作面１３ａを装置本体１２の鍵支持部１３（Ａ）〜１３（Ｃ）が突出する側の前面２１ａに略面一とすることになって、外観上良好になる。また、鍵支持部１３（Ａ）〜１３（Ｃ）が、収納状態においても、装置本体１２の開閉部２１の前面２１ａに形成された開口である本体開口部１０５（Ａ）〜１０５（Ｃ）を閉塞することから、装置本体１２内に塵埃等が入ることを抑制できる。
【００７２】
＜変形例４＞
カバー１５を開ける動作に連動して鍵支持部１３及び連結解除部１４を装置本体１２から突出させることに限定されるものではなく、鍵支持部１３による鍵ホルダ１１の着脱や連結解除部１４を用いた鍵本体１０の付け替えなどの各種処理の際に、鍵支持部１３及び連結解除部１４を装置本体１２から装置本体１２の外側に突出させるようにしても良い。例えば、カバー１５が開いている状態、又は、カバー１５が装置本体１２に対し着脱可能であって装置本体１２から取り外されている状態、或いは、カバー１５を備えていない機種等において、電源スイッチ３７がＯＮにされた後、ＩＣカードがカードリーダ３４に読み取られて操作部３１に暗証番号が入力されてユーザ認証された後、処理する鍵ホルダ１１が指定される等、操作部３１で鍵２０を着脱するための操作が行われると、鍵支持部１３及び連結解除部１４を装置本体１２から装置本体１２の外側に突出させる。
【００７３】
また、当然、この変形例４を、上記変形例１〜３と併せて適用するようにしても良い。例えば、上記変形例１のように連結解除部１４用の駆動モータ１７１を設けている場合には、操作部３１で鍵２０を着脱するための操作が行われると、鍵支持部１３のみを装置本体１２から装置本体１２の外側に突出させるようにし、操作部３１で鍵交換するための操作が行われると、連結解除部１４のみを装置本体１２から装置本体１２の外側に突出させるようにしても良い。更に、上記変形例２のように鍵支持部１３（Ａ）〜１３（Ｃ）毎に駆動モータ１３１を設けている場合には、処理する鍵ホルダ１１が操作部３１に指定されると、その鍵ホルダ１１に対応する鍵支持部１３のみを装置本体１２から装置本体１２の外側に突出させるようにしても良い。
【００７４】
この変形例４の構成を有することにより、カバー１５がない機種でも適用することができる。
【００７５】
＜変形例５＞
カバー１５を開ける動作に連動して鍵支持部１３（Ａ）〜１３（Ｃ）及び連結解除部１４を装置本体１２から突出させることに限定されるものではなく、操作部３１や、操作部３１以外の装置本体１２の何れかの面（前面、後面、側面、上面等）に、駆動ボタン（不図示）を設けるようにしても良い。例えば、カバー１５が開いている状態、又は、カバー１５が装置本体１２に対し着脱可能であって装置本体１２から取り外されている状態、或いは、カバー１５を備えていない機種等において、この駆動ボタンが押されると、鍵支持部１３（Ａ）〜１３（Ｃ）を、それまでの図８及び図１１に示すような装置本体１２に収納された収納状態から、図７に示すように装置本体１２の前面１２ａから装置本体１２の外側に突出する突出状態とし、連結解除部１４を、それまでの図８及び図１１に示すような装置本体１２に収納された状態から、装置本体１２の外側に移動させて、図７に示すように装置本体１２の上面１２ｂから装置本体１２の外側に突出する突出状態とする。そして、駆動ボタンがもう一度押されると、鍵支持部１３及び連結解除部１４を、装置本体１２に収納し、元の収納状態に戻す。
【００７６】
また、当然、この変形例５を、上記変形例１〜３と併せて適用するようにしても良い。例えば、上記変形例１のように連結解除部１４用の駆動モータ１７１を設けている場合には、共通の駆動ボタンの代わりに、鍵支持部１３用の駆動モータ１３１を作動させる鍵支持部１３用の鍵支持部駆動ボタンと、連結解除部１４用の駆動モータ１７１を作動させる連結解除部１４用の鍵支持部駆動ボタンとを、それぞれ設けるようにしても良い。
【００７７】
また、上記変形例２のように鍵支持部１３（Ａ）〜１３（Ｃ）毎に駆動モータ１３１を設けている場合には、鍵支持部１３（Ａ）〜１３（Ｃ）用の共通の鍵支持部駆動ボタンの代わりに、鍵支持部１３（Ａ）〜１３（Ｃ）毎に対応する鍵支持部駆動ボタンを設けるようにしても良い。即ち、鍵支持部１３（Ａ）を作動させる鍵支持部駆動ボタンと、鍵支持部１３（Ｂ）を作動させる鍵支持部駆動ボタンと、鍵支持部１３（Ｃ）を作動させる鍵支持部駆動ボタンとを設けるようにする。
【００７８】
また、上記各駆動ボタンについて、それぞれ突出用の駆動ボタンと収納用の駆動ボタンとを設けるようにしても良い。
【００７９】
変形例５の構成を有することにより、カバー１５がない機種でも適用することができる。
【００８０】
＜変形例６＞
図８に示すように鍵支持部１３（Ａ）〜１３（Ｃ）を装置本体１２内に収納するように設ける場合、装置本体１２の前面１２ａに、前面１２ａに形成された本体開口部１０５（Ａ）〜１０５（Ｃ）を開閉するシャッタ（不図示）を設けるようにしても良い。例えば、カバー１５を開ける、操作部３１等が操作される、又は、駆動ボタンが押されると、シャッタ駆動部によってシャッタを上下方向の一方に移動させて本体開口部１０５（Ａ）〜１０５（Ｃ）を開放させ、その後、駆動モータ１３１を一方向に回転駆動して、鍵支持部（Ａ）〜１３（Ｃ）を、それまでの装置本体１２内に収納した収納状態から、装置本体１２の外側に向けて回動させて、本体開口部１０５（Ａ）〜１０５（Ｃ）を介して、装置本体１２の前面１２ａから装置本体１２の外側に突出する突出状態にする。次いで、カバー１５を閉め始める、又は、駆動ボタンが押されると、駆動モータ１３１を逆方向に回転駆動して、鍵支持部１３（Ａ）〜１３（Ｃ）を、それまでの装置本体１２の前面１２ａから装置本体１２の外側に突出する突出状態から、装置本体１２の内側に向けて回動させて、装置本体１２内に収納する収納状態にし、その後、シャッタ駆動部によってシャッタを上下方向の他方に移動させてシャッタで本体開口部１０５（Ａ）〜１０５（Ｃ）を閉鎖させる。また、当然、上記変形例１〜５と併せて適用するようにしても良い。
【００８１】
変形例６の構成を有することにより、鍵２０をより安全に保管することができる。また、装置本体１２の前面１２ａに形成された本体開口部１０５〜１０５（Ｃ）から装置本体１２内に塵埃等が入ることを抑制できる。
【００８２】
＜変形例７＞
図８等に示すように、歯車１２３（Ａ）〜１２３（Ｃ）、プーリ１２４（Ａ）〜１２４（Ｃ）、駆動ベルト１３５等で構成される回動機構１２１で鍵支持部１３（Ａ）〜１３（Ｃ）を回動駆動させることに限定されるものではなく、鍵支持部１３（Ａ）〜１３（Ｃ）及び連結解除部１４を突出及び収納駆動可能なものであれば如何なる機構であっても良く、例えば、鍵支持部１３（Ａ）〜１３（Ｃ）をカム機構によって回動駆動するようにしても良い。例えば、カム機構を、カムと、カムの回転に従動して上下方向に回動する第１の追従部材と、第１の追従部材の上下方向の回動に従動して上下方向に直線的に移動する第２の追従部材とで構成する。そして、カバー１５を開ける、操作部３１等が操作される、又は、駆動ボタンが押されると、カム駆動モータ等でカムを回転させて、第１の追従部材を下方に回動させて第２の追従部材を下方に移動させ、第２の追従部材と連結された鍵支持部１３（Ａ）〜１３（Ｃ）を装置本体１２の外側に向けて回動させて、鍵支持部１３（Ａ）〜１３（Ｃ）を、それまでの図８及び図１１に示すような装置本体１２に収納した状態から、図７に示すように装置本体１２の前面１２ａから装置本体１２の外側に突出する状態にする。次いで、カバー１５を閉め始める又は駆動ボタンが押されると、カム駆動モータ等でカムを回転させて、第１の追従部材を上方に回動させて第２の追従部材を上方に移動させ、鍵支持部１３（Ａ）〜１３（Ｃ）を装置本体１２の内側に向けて回動させて、鍵支持部１３（Ａ）〜１３（Ｃ）を、それまでの図７に示すような装置本体１２の前面１２ａから装置本体１２の外側に突出している状態から、図８及び図１１に示すように装置本体１２内に収納する。
【００８３】
また、当然、変形例７を、上記変形例１〜６と併せて適用するようにしても良い。例えば、鍵支持部１３（Ａ）のギア部１１２（Ａ）とラックギア部１４２との間に歯車（図８の歯車１２３（Ａ）参照）を設けて、連結解除部１４を、鍵支持部１３（Ａ）の回動に連動して上下方向に移動させるようにしても良く、上記変形例１のように、図９に示す連結解除部１４用の駆動モータ１７１を設けて単独で移動させるようにしても良い。
【００８４】
＜変形例８＞
連結解除部１４は、装置本体１２の上面１２ｂから突出させることが好ましいが、上記変形例１にように連結解除部１４用の駆動モータ１７１によって駆動される場合、側面や前面等、装置本体１２の上面１２ｂ以外の他の面から突出させるようにしても良い。また、当然、上記変形例１〜７と併せて適用するようにしても良い。
【００８５】
＜変形例９＞
駆動モータ等の電動機を使用する等して、鍵支持部１３（Ａ）〜１３（Ｃ）及び連結解除部１４を電気的に駆動させることに限定されるものではなく、電力を使用せず機械的に駆動させるようにしても良い。例えば、プーリ１２４（Ａ）〜１２４（Ｃ）と共に駆動ベルト１３５が掛けられる駆動プーリ１３３をカバー１５の手動の開閉力で回転させるようにする。例えば、カバー１５の回転中心となるヒンジ２５の回転軸をカバー１５に固定し、この回転軸の回転を駆動プーリ１３３に伝達する。この場合、カバー１５の鉛直軸回りの回転を駆動プーリ１３３の水平軸回りの回転に変換するため、一対のかさ歯車、又は、ウォーム及びウォーム歯車等で構成される直交動力伝達機構を設ける。
【００８６】
そして、カバー１５を開けると、カバー１５の回転軸の回転力が、直交動力伝達機構を介して駆動プーリ１３３に伝達されて、鍵支持部１３（Ａ）〜１３（Ｃ）を一方向に回動させる。すると、鍵支持部１３（Ａ）〜１３（Ｃ）が、それまでの図８及び図１１に示すような装置本体１２に収納された収納状態から、図７に示すように装置本体１２の前面１２ａから装置本体１２の外側に突出する突出状態になる。また、これと並行して、連結解除部１４が、装置本体１２の外側に移動して、それまでの図８及び図１１に示すような装置本体１２に収納された下降状態から、装置本体１２の上面１２ｂから装置本体１２の外側に突出する上昇状態になる。その後、カバー１５を閉めると、カバー１５の回転軸の回転力が、直交動力伝達機構を介して、鍵支持部１３（Ａ）〜１３（Ｃ）を他方向に回動させる。すると、鍵支持部１３（Ａ）〜１３（Ｃ）が、それまでの図７に示すような装置本体１２の前面１２ａから装置本体１２の外側に突出した突出状態から、図８及び図１１に示すように装置本体１２に収納される収納状態となる。また、これと並行して、連結解除部１４が、装置本体１２の内側に移動して、それまでの図７に示すような装置本体１２の上面１２ｂから装置本体１２の外側に突出した上昇状態から、図８及び図１１に示すように装置本体１２に収納された収納状態になる。
【００８７】
また、当然、変形例９を、上記変形例３，６，７，８と併せて適用するようにしても良い。例えば、変形例６のようにシャッタを設けた場合には、鍵支持部１３（Ａ）〜１３（Ｃ）の回動を検知する回動検知部を設けて、鍵支持部１３（Ａ）〜１３（Ｃ）が外側に向け回動すると、これらに干渉しないタイミングでシャッタ駆動部によってシャッタを駆動して本体開口部１０５を開放し、鍵支持部１３（Ａ）〜１３（Ｃ）が装置本体１２の内側に向け回動すると、これらが本体開口部１０５（Ａ）〜１０５（Ｃ）を通過後に、シャッタ駆動部によってシャッタを駆動して本体開口部１０５（Ａ）〜１０５（Ｃ）を閉塞するようにしても良い。シャッタを、カバー１５の手動の開閉力で開閉させても良い。
【００８８】
＜変形例１０＞
鍵ホルダ１１の線状部材８２を図１２及び図１３に示すように変更しても良い。つまり、中間部８７の係合部８８とは反対側の端部と、中間部９４の係合部９５とは反対側の端部とを半円よりも大きい略円弧状の主体部１９１で繋いだ形状とする。
【００８９】
実施形態の第１の態様は、装置本体と、鍵本体に連結された鍵ホルダが抜き差しされる支持穴を有し前記支持穴に差し込まれた前記鍵ホルダを支持する鍵支持部と、前記鍵支持部を、前記装置本体から突出して前記支持穴を斜め上方向に開口させる突出状態と、前記突出状態よりも前記装置本体側に位置する収納状態との間で回動させる回動機構と、前記装置本体の前記鍵支持部が突出する側の面を開閉するカバーとを備え、前記回動機構は、前記カバーの開動作に連動して前記鍵支持部を前記突出状態とし、前記カバーの閉作動に連動して前記鍵支持部を前記収納状態とすることを特徴とする。
【００９０】
上記第１の態様によれば、回動機構が鍵支持部を、装置本体から突出して支持穴を斜め上方向に開口させる突出状態とすると、鍵ホルダを支持穴に差し込む際に、鍵ホルダが斜め下方向に向かって挿入されるので、挿入作業がし易い。しかも、鍵ホルダを支持穴に差し込む力によっても後方向に転倒し難くなる。また、回動機構が鍵支持部を、突出状態よりも装置本体側に位置する収納状態とすると全体的に小型になる。
【００９１】
また、カバーが開動作すると、これに連動して回動機構が鍵支持部を突出状態とし、カバーが閉作動されると、これに連動して回動機構が鍵支持部を収納状態とするため、操作者はカバーの開閉操作を行えば、回動機構の回動操作を行う必要がなくなる。よって、操作が容易となる。
【００９２】
実施形態の第２の態様は、第１の態様において、前記鍵ホルダの前記鍵本体との連結を解除可能な連結解除可能状態と、前記鍵ホルダの前記鍵本体との連結を解除不可な連結解除不可状態とに切り替えられる連結解除部を更に備え、前記回動機構による前記鍵支持部を前記突出状態とする突出作動に連動して、前記連結解除部を前記連結解除可能状態とし、前記回動機構による前記鍵支持部を前記収納状態とする収納作動に連動して前記連結解除部を前記連結解除不可状態とすることを特徴とする。
【００９３】
上記第２の態様によれば、回動機構による鍵支持部を突出状態とする突出作動に連動して、連結解除部が連結解除可能状態となり、回動機構による鍵支持部を収納状態とする収納作動に連動して連結解除部が連結解除不可状態となるため、操作者は回動機構の操作を行えば、連結解除部の状態変更操作を行う必要がなくなる。よって、操作が容易となる。
【００９４】
実施形態の第３の態様は、装置本体と、鍵本体に連結された鍵ホルダが抜き差しされる支持穴を有し前記支持穴に差し込まれた前記鍵ホルダを支持する鍵支持部と、前記鍵支持部を、前記装置本体から突出して前記支持穴を斜め上方向に開口させる突出状態と、前記突出状態よりも前記装置本体側に位置する収納状態との間で回動させる回動機構と、前記鍵ホルダの前記鍵本体との連結を解除可能な連結解除可能状態と、前記鍵ホルダの前記鍵本体との連結を解除不可な連結解除不可状態とに切り替えられる連結解除部とを備え、前記回動機構による前記鍵支持部を前記突出状態とする突出作動に連動して、前記連結解除部を前記連結解除可能状態とし、前記回動機構による前記鍵支持部を前記収納状態とする収納作動に連動して前記連結解除部を前記連結解除不可状態とすることを特徴とする。
【００９５】
上記第３の態様によれば、回動機構が鍵支持部を、装置本体から突出して支持穴を斜め上方向に開口させる突出状態とすると、鍵ホルダを支持穴に差し込む際に、鍵ホルダが斜め下方向に向かって挿入されるので、挿入作業がし易い。しかも、鍵ホルダを支持穴に差し込む力によっても後方向に転倒し難くなる。また、回動機構が鍵支持部を、突出状態よりも装置本体側に位置する収納状態とすると全体的に小型になる。
【００９６】
また、回動機構による鍵支持部を突出状態とする突出作動に連動して、連結解除部が連結解除可能状態となり、回動機構による鍵支持部を収納状態とする収納作動に連動して連結解除部が連結解除不可状態となるため、操作者は回動機構の操作を行えば、連結解除部の状態変更操作を行う必要がなくなる。よって、操作が容易となる。
【００９７】
実施形態の第４の態様は、第１乃至第３の何れか一態様において、前記回動機構は、前記収納状態にある前記鍵支持部を、前記装置本体の前記鍵支持部が突出する側の面よりも内側に位置させることを特徴とする。
【００９８】
上記第４の態様によれば、回動機構が鍵支持部を収納状態にすると、鍵支持部が装置本体の鍵支持部が突出する側の面よりも内側に位置することになって、より小型になる。
【００９９】
実施形態の第５の態様は、第４の態様において、前記回動機構は、前記収納状態にある前記鍵支持部を、前記鍵本体及び前記鍵ホルダと共に前記装置本体の前記鍵支持部が突出する側の面よりも内側に位置させることを特徴とする。
【０１００】
上記第５の態様によれば、回動機構が鍵支持部を収納状態にすると、鍵支持部が鍵本体及び鍵ホルダと共に、装置本体の鍵支持部が突出する側の面よりも内側に位置することになって、より小型になる。
【０１０１】
実施形態の第６の態様は、第１乃至第３の何れか一の態様において、前記回動機構は、前記収納状態にある前記鍵支持部を、前記支持穴が開口する開口配置面が前記装置本体の前記鍵支持部が突出する側の面に略面一となる状態にすることを特徴とする。
【０１０２】
上記第６の態様によれば、回動機構が鍵支持部を収納状態にすると、鍵支持部が、支持穴が開口する開口配置面を装置本体の鍵支持部が突出する側の面に略面一とすることになって、外観上良好になる。
【符号の説明】
【０１０３】
１…鍵管理装置、１０…鍵本体、１１…鍵ホルダ、１２…装置本体、１２ａ…前面（鍵支持部が突出する側の面）、１３…鍵支持部、１３ａ…操作面（開口配置面）、１４…連結解除部、１５…カバー、６５…支持穴、１２１…回動機構。
【図１】
2020153230.tif 000003
【図２】
2020153230.tif 000004
【図３】
2020153230.tif 000005
【図４】
2020153230.tif 000006
【図５】
2020153230.tif 000007
【図６】
2020153230.tif 000008
【図７】
2020153230.tif 000009
【図８】
2020153230.tif 000010
【図９】
2020153230.tif 000011
【図１０】
2020153230.tif 000012
【図１１】
2020153230.tif 000013
【図１２】
2020153230.tif 000014
【図１３】
2020153230.tif 000015